(57)【要約】【課題】医師が診療にあたって移動する際の移動のし易さと、医師が診療用機器を使って診療を行う際の診療のし易さとの両立を図る。【解決手段】移動可能に設けられ、耳鼻咽喉の診療に用いられる診療用機器を保持する保持手段を備える移動体と、前記移動体が収容される収容部と、を備え、前記移動体が前記収容部の最も奥まで収容された状態では、当該移動体の一部が、当該収容部の外部に位置する診療用装置。【選択図】図２
2020146283.tif 000002
【特許請求の範囲】
【請求項１】
移動可能に設けられ、耳鼻咽喉の診療に用いられる診療用機器を保持する保持手段を備える移動体と、
前記移動体が収容される収容部と、
を備え、
前記移動体が前記収容部の最も奥まで収容された状態では、当該移動体の一部が、当該収容部の外部に位置する診療用装置。
【請求項２】
前記移動体が前記収容部の最も奥まで収容された状態では、前記保持手段が、当該収容部の外部に位置する請求項１に記載の診療用装置。
【請求項３】
前記移動体の前記保持手段の部分が手前側となる状態で、前記収容部への当該移動体の収容を行える請求項１に記載の診療用装置。
【請求項４】
前記移動体の前記保持手段の部分が手前側となる状態で、前記収容部の最も奥まで当該移動体を収容した場合に、当該保持手段が当該収容部の外部に位置する請求項１に記載の診療用装置。
【請求項５】
前記移動体は、当該移動体の上に置かれる物を支持する支持面を有し、
前記移動体の前記保持手段の部分が手前側となる状態で、前記収容部の最も奥まで当該移動体を収容した場合に、前記支持面の少なくとも一部が、当該収容部の外部に位置する請求項４に記載の診療用装置。
【請求項６】
前記移動体には、操作者により把持される取手が設けられ、
前記移動体の前記保持手段の部分が手前側となる状態で、当該移動体を前記収容部の最も奥まで収容した状態では、前記取手が、当該移動体の最も手前側に位置する部分よりも奥側に位置する請求項１に記載の診療用装置。
【請求項７】
前記収容部の上には、当該収容部の奥行方向と直交する方向に沿って延び置かれる物を下方から支持する第１支持部が設けられ、
前記直交する方向において、前記第１支持部に隣接する箇所には、置かれる物を下方から支持する第２支持部が設けられ、
前記第１支持部および前記第２支持部の各々は、前記奥行方向において最も手前側に位置する手前側端部を有し、
前記奥行方向において、前記第２支持部が有する前記手前側端部の方が、前記第１支持部が有する前記手前側端部より手前側に位置し、
前記収容部の最も奥まで収容された状態にある前記移動体の前記保持手段が、前記奥行方向において、前記第１支持部が有する前記手前側端部よりも手前側に位置し前記第２支持部が有する前記手前側端部よりも手前側に位置する請求項１に記載の診療用装置。
【請求項８】
前記収容部の一方の側方にのみ、側壁が設けられ、他方の側方には、側壁が設けられておらず、
前記収容部に収容された前記移動体を、前記他方の側方を通して当該収容部の外へ移動できるように構成された請求項１に記載の診療用装置。
【請求項９】
前記移動体が、診療用椅子の横に設置された車椅子に座る患者の脇まで達するように構成された請求項１に記載の診療用装置。
【請求項１０】
背もたれが倒れた状態の診療用椅子により下方から支持され寝た状態の患者の耳鼻咽喉の診療が可能となる箇所まで、前記移動体が達するように構成された請求項１に記載の診療用装置。
【請求項１１】
外周縁を有し、置かれる物を下方から支持する支持部と、
移動可能に設けられ、耳鼻咽喉の診療に用いられる診療用機器を保持する保持手段を備え、前記支持部の下方への収容を行える移動体と、
を備え、
前記支持部の下方へ且つ最も奥まで前記移動体を収容した状態では、当該支持部の前記外周縁よりも手前側に、当該移動体の一部が位置する診療用装置。
【請求項１２】
前記支持部の下方へ且つ最も奥まで前記移動体を収容した状態では、当該支持部の前記外周縁よりも手前側に、当該移動体の前記保持手段が位置する請求項１１に記載の診療用装置。
【発明の詳細な説明】
【技術分野】
【０００１】
本発明は、診療用装置に関する。
【背景技術】
【０００２】
特許文献１には、左、正面及び右向きに、水平面内で少なくとも１００°回転可能な治療用椅子と、この治療用椅子に連結された、治療用の機器を搭載した治療ユニットとを備える治療器械が開示されている。
【先行技術文献】
【特許文献】
【０００３】
【特許文献１】特開平１０−１１３３６６号公報
【発明の概要】
【発明が解決しようとする課題】
【０００４】
耳鼻咽喉に関する診療では、診療の対象となる部位の位置が耳と鼻とでは異なるため、医師は、診療の対象となる部位に応じて、移動することが多い。さらに、耳鼻咽喉に関する診療では、診療用機器を用いて診療を行うことが一般的である。
ここで、医師が移動する際の動線に近い箇所に診療用機器があると、医師の移動の邪魔になりやすいため、必要に応じて診療用機器を移動させることが好ましくなる。その一方で、診療用機器の移動先によっては、診療用機器へのアクセスがしにくくなり、診療が行いにくくなることも想定される。
本発明の目的は、医師が診療にあたって移動する際の移動のし易さと、医師が診療用機器を使って診療を行う際の診療のし易さとの両立を図ることにある。
【課題を解決するための手段】
【０００５】
本発明が適用される診療用装置は、移動可能に設けられ、耳鼻咽喉の診療に用いられる診療用機器を保持する保持手段を備える移動体と、前記移動体が収容される収容部と、を備え、前記移動体が前記収容部の最も奥まで収容された状態では、当該移動体の一部が、当該収容部の外部に位置する診療用装置である。
ここで、前記移動体が前記収容部の最も奥まで収容された状態では、前記保持手段が、当該収容部の外部に位置することを特徴とすることができる。
また、前記移動体の前記保持手段の部分が手前側となる状態で、前記収容部への当該移動体の収容を行えることを特徴とすることができる。
また、前記移動体の前記保持手段の部分が手前側となる状態で、前記収容部の最も奥まで当該移動体を収容した場合に、当該保持手段が当該収容部の外部に位置することを特徴とすることができる。
また、前記移動体は、当該移動体の上に置かれる物を支持する支持面を有し、前記移動体の前記保持手段の部分が手前側となる状態で、前記収容部の最も奥まで当該移動体を収容した場合に、前記支持面の少なくとも一部が、当該収容部の外部に位置することを特徴とすることができる。
また、前記移動体には、操作者により把持される取手が設けられ、前記移動体の前記保持手段の部分が手前側となる状態で、当該移動体を前記収容部の最も奥まで収容した状態では、前記取手が、当該移動体の最も手前側に位置する部分よりも奥側に位置することを特徴とすることができる。
また、前記収容部の上には、当該収容部の奥行方向と直交する方向に沿って延び置かれる物を下方から支持する第１支持部が設けられ、前記直交する方向において、前記第１支持部に隣接する箇所には、置かれる物を下方から支持する第２支持部が設けられ、前記第１支持部および前記第２支持部の各々は、前記奥行方向において最も手前側に位置する手前側端部を有し、前記奥行方向において、前記第２支持部が有する前記手前側端部の方が、前記第１支持部が有する前記手前側端部より手前側に位置し、前記収容部の最も奥まで収容された状態にある前記移動体の前記保持手段が、前記奥行方向において、前記第１支持部が有する前記手前側端部よりも手前側に位置し前記第２支持部が有する前記手前側端部よりも手前側に位置することを特徴とすることができる。
また、前記収容部の一方の側方にのみ、側壁が設けられ、他方の側方には、側壁が設けられておらず、前記収容部に収容された前記移動体を、前記他方の側方を通して当該収容部の外へ移動できるように構成されたことを特徴とすることができる。
また、前記移動体が、診療用椅子の横に設置された車椅子に座る患者の脇まで達するように構成されたことを特徴とすることができる。
また、背もたれが倒れた状態の診療用椅子により下方から支持され寝た状態の患者の耳鼻咽喉の診療が可能となる箇所まで、前記移動体が達するように構成されたことを特徴とすることができる。
【０００６】
他の観点から捉えると、本発明が適用される診療用装置は、外周縁を有し、置かれる物を下方から支持する支持部と、移動可能に設けられ、耳鼻咽喉の診療に用いられる診療用機器を保持する保持手段を備え、前記支持部の下方への収容を行える移動体と、を備え、前記支持部の下方へ且つ最も奥まで前記移動体を収容した状態では、当該支持部の前記外周縁よりも手前側に、当該移動体の一部が位置する診療用装置である。
ここで、前記支持部の下方へ且つ最も奥まで前記移動体を収容した状態では、当該支持部の前記外周縁よりも手前側に、当該移動体の前記保持手段が位置することを特徴とすることができる。
【発明の効果】
【０００７】
本発明によれば、医師が診療にあたって移動する際の移動のし易さと、医師が診療用機器を使って診療を行う際の診療のし易さとの両立を図ることができる。
【図面の簡単な説明】
【０００８】
【図１】患者の耳鼻咽喉についての診察が行われる診察室の一例を示した図である。
【図２】図１の矢印ＩＩ方向から診療用装置を見た場合の図である。
【図３】移動体の配置例を示した図である。
【図４】図１の矢印ＩＶで示す方向から診療用装置を見た場合の図である。
【図５】患者用椅子および支持腕を伸ばした状態の診療用装置を上方から見た場合の図である。
【図６】回転させた患者用椅子および支持腕を伸ばした状態の診療用装置を上方から見た場合の図である。
【発明を実施するための形態】
【０００９】
以下、添付図面を参照して、本発明の実施の形態について詳細に説明する。
図１は、患者の耳鼻咽喉についての診察が行われる診察室の一例を示した図である。
診察室には、患者が座る患者用椅子１００と、医師が座る医師用椅子２００と、診療に用いられる診療用装置３００とが設けられている。また、図示は省略するが、その他、診療室には、照明装置、顕微鏡、画像表示用のモニタなどが設けられている。
【００１０】
なお、本実施形態では、耳、鼻、咽喉のうちの少なくとも１つの診療ができる装置であれば、診療用装置３００と言える。
本実施形態の診療用装置３００とは、必ずしも、耳、鼻、および、咽喉の全ての診療ができる装置を意味するものではなく、耳、鼻、および、咽喉の何れか１つの診療に用いることができる装置であれば、診療用装置３００と言える。
【００１１】
患者用椅子１００は、座面１０１を備える。本実施形態では、患者が患者用椅子１００に座ると、患者の臀部が、この座面１０１により下方から支持される。
また、患者用椅子１００には、患者用椅子１００に座った患者の背中を支持する背板１０２、背板１０２に取り付けられ患者の頭部を支えるヘッドレスト１０３が設けられている。
【００１２】
医師用椅子２００は、患者用椅子１００と同様、座面２０１を備える。本実施形態では、医師が医師用椅子２００に座ると、医師の臀部が、この座面２０１により下方から支持される。
また、医師用椅子２００は、医師用椅子２００に座った医師の背中を支持する背板２０２を備える。
【００１３】
診療用装置３００には、移動体３１０と、この移動体３１０が収容される収容部３２０とが設けられている。
付言すると、本実施形態の診療用装置３００には、装置本体３３０と、この装置本体３３０により支持された移動体３１０とが設けられ、さらに、装置本体３３０には、この移動体３１０が収容される凹形状の収容部３２０が設けられている。
【００１４】
収容部３２０の上方には、置かれる物を下方から支持する第１支持部３４１が設けられている。
付言すると、収容部３２０の上方には、略矩形状の板状部材（天板）が設けられており、本実施形態では、この板状部材により、第１支持部３４１が構成されている。
第１支持部３４１は、矩形状の外周縁３４１Ａを有する。本実施形態では、この外周縁３４１Ａにより囲まれた領域内に、物が置かれることになる。
さらに、第１支持部３４１は、収容部３２０の奥行方向と直交する方向に沿って延びるように設けられている。
【００１５】
また、本実施形態では、奥行き方向と直交する方向において、第１支持部３４１に隣接する箇所に、置かれる物を下方から支持する第２支持部３４２が設けられている。
本実施形態では、鉛直方向における位置を比べた場合に、第２支持部３４２が第１支持部３４１よりも下方に位置する。
第２支持部３４２も、板状部材により構成され、また、収容部３２０の奥行方向と直交する方向に沿って延びるように設けられている。
【００１６】
さらに、第１支持部３４１は、奥行方向において最も手前側に位置する手前側端部３４１Ｔを有し、また、奥行方向において最も奥側に位置する奥側端部３４１Ｋを有する。
同様に、第２支持部３４２は、奥行方向において最も手前側に位置する手前側端部３４２Ｔを有し、また、奥行方向において最も奥側に位置する奥側端部３４２Ｋを有する。
【００１７】
本実施形態では、奥行方向において、第２支持部３４２が有する手前側端部３４２Ｔの方が、第１支持部３４１が有する手前側端部３４１Ｔより手前側に位置する。
ここで、奥行き方向とは、収容部３２０の正面からこの収容部３２０へ移動体３１０を収容する際の移動体３１０の移動方向とも言える。また、奥行き方向とは、この移動方向とは反対方向とも言える。
【００１８】
付言すると、奥行方向とは、第１支持部３４１の長手方向（図中、矢印１Ａで示す方向）と直交する方向に沿って移動体３１０を移動させて収容部３２０へ移動体３１０を収容する際の移動体３１０の移動方向、および、この移動方向とは反対方向とも言える。
また、本実施形態において、奥側方向とは、収容部３２０の正面からこの収容部３２０へ移動体３１０を収容する際の移動体３１０の移動方向と言える。また、本実施形態において、手前側方向とは、この移動方向とは反対方向と言える。
【００１９】
図１に示すように、移動体３１０は、この移動体３１０の下方に設けられた支持腕３６０により下方から支持されている。
本実施形態では、支持腕３６０の回転（鉛直方向に沿った回転軸を中心とした回転）が可能になっており、これにより、移動体３１０の水平方向への移動が可能になっている。
【００２０】
移動体３１０は、耳鼻咽喉の診療に用いられる診療用機器４００を保持する保持手段の一例としての機器保持部３１１を有する。
機器保持部３１１には、上方における径よりも下方における径の方が小さい複数の貫通孔３１１Ａが形成され、本実施形態では、この貫通孔３１１Ａに診療用機器４００が挿入されることで、診療用機器４００の保持が行われる。
【００２１】
診療用機器４００としては、例えば、霧状の薬液を患者の患部に吹き付けるための吹き付け装置（スプレー装置）や、痰や鼻水などを吸引する吸引装置が挙げられる。
診療用機器４００には、診療用機器４００と装置本体３３０とを接続するチューブ３１２が接続され、このチューブ３１２を通じて、薬液が診療用機器４００へ供給される。
また、このチューブ３１２を通じて、診療用機器４００により吸引された痰や鼻水などが装置本体３３０側へ移動する。
【００２２】
さらに、移動体３１０は、移動体３１０の上に置かれる物を支持する支持面３１３（以下、「移動体支持面３１３」と称する）を有する。
さらに、移動体３１０には、操作者により把持される取手３１４が設けられている。
移動体支持面３１３上には、例えば、診療用の鏡、鉗子、舌圧子などの診療用器具が置かれる。
【００２３】
奥行方向において、収容部３２０の奥側には、この収容部３２０に面し移動体３１０が突き当たる奥側壁部３３１が設けられている。
さらに、収容部３２０の図中右側には（奥行方向と直交する方向における、収容部３２０の隣には）、収容部３２０に面する右側側壁３３２が設けられている。
さらに、収容部３２０の下方には、図中上方を向き収容部３２０に面する下側壁部３３３が設けられている。
【００２４】
本実施形態では、支持腕３６０が、下側壁部３３３に設けられた貫通孔３３３Ａに通されている。さらに、支持腕３６０は、装置本体３３０のうちの下側壁部３３３よりも下方に位置する部分により支持されている。
さらに、右側側壁３３２よりも図中右側であって第１支持部３４１の下方には、上下方向に並んで配置され、置かれた物を下方から支持する複数の支持部３４９が設けられている。
また、複数設けられたこの支持部３４９に含まれる一部の支持部３４９と、他の支持部３４９との間には（符号３４７で示す箇所には）、各種の機能部が設けられている。
具体的には、符号３４７で示す箇所には、診療用機器４００へ供給される薬液等の流量を調整するための調整バルブ３４７Ａが設けられている。さらに、チューブ３１２が挿入されチューブ３１２の内部の洗浄を行う洗浄装置３４７Ｂが設けられている。また、符号３４７で示す箇所には、診療用機器４００からノズルの取り外しに用いられるノズル外し口３４７Ｃが設けられている。
【００２５】
図１では、移動体３１０が収容部３２０の最も奥まで収容された状態を示しており、移動体３１０が収容部３２０の最も奥まで収容されたこの状態では、移動体３１０の一部が、収容部３２０の外部に位置する。
付言すると、図１では、移動体３１０が、奥側壁部３３１に突き当たった状態を示しており、この状態では、移動体３１０の一部が、収容部３２０の外部に位置する。
【００２６】
付言すると、本実施形態では、機器保持部３１１を手前側にした状態（機器保持部３１１が奥側壁部３３１側とは反対側に位置する状態）で、移動体３１０を収容部３２０の最も奥まで収容すると、機器保持部３１１が収容部３２０の外部に位置する。
言い換えると、本実施形態では、移動体３１０が奥側壁部３３１に突き当たった状態では、機器保持部３１１が、収容部３２０の外部に位置する。
【００２７】
図２は、図１の矢印ＩＩ方向から、診療用装置３００を見た場合の図である。
本実施形態では、収容部３２０の最も奥まで移動体３１０を収容した状態では（第１支持部３４１の下方へ且つ最も奥まで移動体３１０を収容した状態では）、奥行き方向において、第１支持部３４１の外周縁３４１Ａよりも手前側に、移動体３１０の一部が位置する。
付言すると、収容部３２０の最も奥まで移動体３１０を収容した状態では、第１支持部３４１の外周縁３４１Ａよりも外側に、移動体３１０の一部が位置する。
【００２８】
より具体的には、本実施形態では、機器保持部３１１の部分が手前側となる状態で、収容部３２０の最も奥まで移動体３１０を収容すると、機器保持部３１１が収容部３２０の外部に位置する。
付言すると、本実施形態では、第１支持部３４１の下方へ且つ最も奥まで移動体３１０を収容した状態では、第１支持部３４１の手前側端部３４１Ｔよりも手前側に、移動体３１０の機器保持部３１１が位置する。
【００２９】
さらに、本実施形態では、移動体３１０の機器保持部３１１の部分が手前側となる状態で、収容部３２０の最も奥まで移動体３１０を収容した状態では、移動体３１０に設けられた移動体支持面３１３の一部が、収容部３２０の外部に位置する。
また、本実施形態では、機器保持部３１１の部分が手前側となる状態で、移動体３１０を収容部３２０の最も奥まで収容した状態では、取手３１４が、移動体３１０のうちの最も手前側に位置する手前側部分３１０Ｘよりも奥側（奥側壁部３３１側）に位置する。
【００３０】
ここで、耳鼻咽喉に関する診療では、診療の対象となる部位の位置が耳と鼻とでは異なるため、医師は、診療の対象となる部位に応じて、移動することが多い。さらに、耳鼻咽喉に関する診療では、診療用機器４００を用いて診療を行うことが一般的である。
ここで、医師が移動する際の動線に近い箇所に診療用機器４００があると、医師の移動の邪魔になりやすいため、必要に応じて診療用機器４００を移動させることが好ましくなる。
【００３１】
その一方で、診療用機器４００の移動先によっては、診療用機器４００へのアクセスがしにくくなり、診療が行いにくくなることも想定される。
より具体的には、例えば、移動体３１０が、図２にて示す状態よりもさらに奥まで収容される構成であると、診療用機器４００が、収容部３２０の奥まった箇所に位置し、診療用機器４００へのアクセスがしにくくなり、診療が行いにくくなることが想定される。
【００３２】
これに対し、本実施形態の構成では、移動体３１０が移動可能となっており、これにより、必要に応じて診療用機器４００を移動させることが可能となる。付言すると、医師が移動する際に、診療用機器４００がこの移動の邪魔になる箇所に位置する際には、この診療用機器４００を移動させることが可能となる。
より具体的には、本実施形態では、例えば、図１の符号１Ｘで示す線が、医師の動線となるが、本実施形態では、必要に応じて、この動線から離れる方向へ診療用機器４００を移動させることが可能となる。これにより、医師の移動の邪魔になる箇所から、他の箇所へ、診療用機器４００を移動させることが可能となる。
【００３３】
より具体的には、患者の鼻についての診療を行うときには、移動体３１０が、例えば、図３（移動体３１０の配置例を示した図）の符号３Ｘで示すように配置される。
そして、例えば、患者の左鼻（医師から見た場合の右耳）についての診療を行うときには、符号１Ｘで示す線に沿って医師が移動するが、この際、この線から離れる方向であって収容部３２０側へ移動体３１０を移動させることが可能となる。
【００３４】
さらに、本実施形態では、収容部３２０に移動体３１０を収容したとしても、機器保持部３１１については、図２に示すように、収容部３２０に入り込まない。
この場合、医師の動線から離れる方向であって収容部３２０側へ移動体３１０を移動させたとしても、収容部３２０の奥に診療用機器４００が入り込まないようになる。これにより、医師は、移動体３１０に対する診療用機器４００の着脱を行いやすくなる。
【００３５】
このように、本実施形態では、移動体３１０が移動可能になっており、さらに、移動体３１０を移動させたとしても、機器保持部３１１が収容部３２０の奥へ入り込まないようになっている。
これにより、本実施形態では、医師が診療にあたって移動する際の移動のし易さと、医師が診療用機器４００を使って診療を行う際の診療のし易さとの両立を図れるようになる。
【００３６】
なお、本実施形態では、収容部３２０に移動体３１０を収容した場合、図２に示すように、移動体支持面３１３の一部も、第１支持部３４１の手前側端部３４１Ｔよりも手前側に位置し、移動体支持面３１３の一部も、収容部３２０に入り込まない。
これにより、移動体３１０が収容部３２０に収容されている状態においても、移動体支持面３１３に載っている物を取れるようになり、また、移動体支持面３１３へ物を置けるようになる。
【００３７】
さらに、本実施形態では、図２に示すように、機器保持部３１１の部分が手前側となる状態で、移動体３１０を収容部３２０の最も奥まで収容した状態では、取手３１４が、移動体３１０のうちの最も手前側に位置する手前側部分３１０Ｘよりも奥側に位置する。
これにより、医師の動線側に取手３１４が突出することが抑制され、取手３１４が動線側に突出する場合に比べ、医師の移動のし易さを確保しやすくなる。
【００３８】
さらに、本実施形態では、図２に示すように、収容部３２０の最も奥まで収容された状態にある移動体３１０の機器保持部３１１が、奥行方向において、第１支持部３４１が有する手前側端部３４１Ｔよりも手前側に位置し、また、第２支持部３４２が有する手前側端部３４２Ｔよりも手前側に位置する。
付言すると、本実施形態では、奥行方向における位置を比べた場合に、機器保持部３１１が、第１支持部３４１が有する手前側端部３４１Ｔよりも手前側に位置し、また、第２支持部３４２が有する手前側端部３４２Ｔよりも手前側に位置する。
【００３９】
図４は、図１の矢印ＩＶで示す方向から、診療用装置３００を見た場合の図である。なお、図４では、手前側方向へ移動体３１０を移動させた状態を示している。
本実施形態では、収容部３２０の一方の側方にのみ、右側側壁３３２が設けられ、他方の側方には、壁部（側壁）が設けられていない。
付言すると、本実施形態の診療用装置３００では、収容部３２０を挟み、右側側壁３３２とは反対側には、壁部が設けられていない。
【００４０】
これにより、本実施形態では、移動体３１０を、患者の左耳（医師から見た場合の右耳）の診療に適した箇所に位置させることが可能となる。
患者の左耳の診療の際には、例えば、図３の符号３Ａで示す箇所へ移動体３１０を位置させることが好ましくなる。
【００４１】
この場合に、他方の壁部が存在していると、この他方の壁部と支持腕３６０とが干渉し、符号３Ａで示す箇所への移動体３１０の設置が難しくなる。
これに対し、本実施形態のように、他方の壁部が設けられていないと（右側側壁３３２とは反対側に壁部が設けられていないと）、壁部と支持腕３６０との干渉が避けられ、符号３Ａで示す箇所への移動体３１０の設置を行える。
なお、右側側壁３３２とは反対側に壁部を設けることを排除するものではなく、右側側壁３３２とは反対側に、壁部を設けてもよい。
【００４２】
また、本実施形態では、図４に示すように、支持腕３６０が、第１支持腕３６１および第２支持腕３６２により構成されている。
本実施形態では、下方に位置する第１支持腕３６１の一端部３６１Ａが、装置本体３３０に対して取り付けられ、さらに、第１支持腕３６１は、この一端部３６１Ａを中心に回転（鉛直方向に沿った軸を中心とした回転）が可能となっている。
【００４３】
第２支持腕３６２は、その一端部３６２Ａが第１支持腕３６１の他端部３６１Ｂにより支持されている。さらに、第２支持腕３６２は、一端部３６２Ａを中心に回転（鉛直方向に沿った軸を中心とした回転）を行えるようになっている。
【００４４】
また、本実施形態では、第２支持腕３６２の他端部３６２Ｂにより、移動体３１０が支持されている。移動体３１０は、第２支持腕３６２の他端部３６２Ｂを中心とした回転（鉛直方向に沿った軸を中心とした回転）を行えるようになっている。
また、本実施形態では、移動体３１０の上下動を行えるようになっている。付言すると、図中矢印４Ａで示す方向への移動体３１０の移動が可能になっている。
なお、移動体３１０を上下動させると、第２支持腕３６２が、符号４Ｂで示す回転軸（水平方向に沿った回転軸）を中心に回転して傾斜し、さらに、移動体３１０も、この第２支持腕３６２に対して回転する（水平方向に沿った回転軸（不図示）を中心とした回転を行う）。これにより、本実施形態では、移動体３１０の姿勢が保たれる。
なお、本実施形態では、移動体３１０を最も上方まで移動させても、移動体３１０が、第１支持部３４１まで達しないようになっており、移動体３１０を最も上方まで移動させても、収容部３２０への移動体３１０の収容を行えるようになっている。
ここで、本実施形態では、支持腕３６０が複数の支持腕により構成されており、これにより、支持腕３６０が単数の支持腕により構成されている場合に比べ、より遠くまで移動体３１０を移動させられる。
【００４５】
さらに、本実施形態では、上記のとおり、また、図２に示すように、奥行方向において、第２支持部３４２が有する手前側端部３４２Ｔの方が、第１支持部３４１が有する手前側端部３４１Ｔより手前側に位置する。
また、収容部３２０の最も奥まで移動体３１０が収容された状態では、図２に示すように、機器保持部３１１が、第１支持部３４１が有する手前側端部３４１Ｔよりも手前側に位置し、また、第２支持部３４２が有する手前側端部３４２Ｔよりも手前側に位置する。
これにより、本実施形態では、第２支持部３４２上にて作業を行った後の医師の作業性が向上する。
【００４６】
例えば、第２支持部３４２上にパソコン等が設置され、医師が、図中符号２Ａで示すあたりにて、作業を行うことを想定する。さらに、医師が、この作業の後に、患者の診療のために、符号２Ｘで示す動線（以下、「動線２Ｘ」と称する）に沿って移動する場合を想定する。
この場合に、第２支持部３４２が有する手前側端部３４２Ｔの方が、第１支持部３４１が有する手前側端部３４１Ｔよりも奥側に位置すると、医師の動線２Ｘ上に、第１支持部３４１が位置しやすくなり、医師は移動しにくくなる。
【００４７】
これに対し、本実施形態のように、第１支持部３４１が有する手前側端部３４１Ｔの方が、第２支持部３４２が有する手前側端部３４２Ｔよりも奥側に位置すると、医師の動線２Ｘから離れた箇所に第１支持部３４１が位置するようになり、医師は移動しやすくなる。
【００４８】
さらに、本実施形態のように、移動体３１０の機器保持部３１１が、奥行方向において、第１支持部３４１が有する手前側端部３４１Ｔよりも手前側に位置し、さらに、第２支持部３４２が有する手前側端部３４２Ｔよりも手前側に位置すると、医師は、機器保持部３１１にアクセスしやすくなる。
【００４９】
ここで、例えば、移動体３１０の機器保持部３１１が、第２支持部３４２が有する手前側端部３４２Ｔよりも奥側に位置すると（例えば、図２の符号２Ｙで示す箇所に位置すると）、機器保持部３１１が、医師の動線２Ｘから離れた箇所に位置するようになる。この場合、医師は、機器保持部３１１により保持されている診療用機器４００にアクセスしにくくなる。
これに対し、移動体３１０の機器保持部３１１が、第２支持部３４２が有する手前側端部３４２Ｔよりも手前側に位置すると、動線２Ｘの近くに機器保持部３１１が位置するようになる。この場合、医師は、機器保持部３１１により保持されている診療用機器４００にアクセスしやすくなる。
【００５０】
図５は、患者用椅子１００および支持腕３６０を伸ばした状態の診療用装置３００を上方から見た場合の図である。
本実施形態では、図中、符号５Ａで示す箇所に（患者用椅子１００の横に）、車いすの設置を行えるようになっており、車いすに座った状態の患者の診療も行えるようになっている。
【００５１】
さらに、本実施形態では、支持腕３６０を伸ばすことで、移動体３１０を符号５Ｂで示す箇所まで移動することができる。具体的には、患者用椅子１００の上方まで、移動体３１０を移動させることができる。
この結果、本実施形態では、移動体３１０が、患者用椅子１００の横に設置された車椅子（不図示）に座る患者の脇まで達する。これにより、本実施形態では、車いすに座っている患者の診療も行える。
【００５２】
図６は、回転させた患者用椅子１００および支持腕３６０を伸ばした状態の診療用装置３００を上方から見た場合の図である。
上記では説明を省略したが、本実施形態の患者用椅子１００（診療用椅子の一例）は、鉛直方向に沿った回転軸６Ａを中心に回転可能となっており、図６では、図１にて示した状態から、患者用椅子１００を、反時計回り方向に９０°回転させた状態を示している。
さらに、図６では、背もたれである背板１０２を倒した状態を示している。言い換えると、この図６では、寝た状態の患者の患部（耳鼻咽喉）を診療する際の、患者用椅子１００の状態を示している。
ここで、本実施形態では、寝た状態の患者の患部の診療が可能となる箇所まで、移動体３１０が達するように構成されている。付言すると、本実施形態では、支持腕３６０を伸ばすことで、背もたれが倒れた状態の患者用椅子１００により下方から支持され寝た状態の患者の耳鼻咽喉の診療が可能となる箇所まで、移動体３１０が達するように構成されている。
より具体的には、図６にて示した状態にて、診療用機器４００を患者の患部まで移動させると、チューブ３１２（図１参照）が延び、これにより、診療用機器４００が、患者の患部に達し、この患者の患部の診療を行えるようになる。
【符号の説明】
【００５３】
３００…診療用装置、３１０…移動体、３１１…機器保持部、３１３…移動体支持面、３１４…取手、３２０…収容部、３３２…右側側壁、３４１…第１支持部、３４１Ａ…外周縁、３４１Ｔ…手前側端部、３４２…第２支持部、３４２Ｔ…手前側端部、４００…診療用機器
【図１】
2020146283.tif 000003
【図２】
2020146283.tif 000004
【図３】
2020146283.tif 000005
【図４】
2020146283.tif 000006
【図５】
2020146283.tif 000007
【図６】
2020146283.tif 000008